(57)【要約】      （修正有）【課題】収納される棒金の種類、金種、数量を正確に検知できる棒金管理装置及び棒金管理システムを提供する。【解決手段】棒金管理装置２０は、棒金を収納する複数の溝部を有し、この溝部に、長棒金が収納された場合に全てがＯＮになり、短棒金が収納された場合、一部がＯＮになり、何も収納されていない場合には全てがとなるように配置される複数のセンサ、及び溝部の内部の一方の端部に設置され、棒金を他方の端部に付勢する弾性部材３０を有するドロワ２１と、ドロワ２１を収納する格納部と、ドロワ２１の開閉を検知するドロワセンサと、を備える。【選択図】図３
2014052776.tif 000002
【特許請求の範囲】
【請求項１】
棒金を収納する複数の溝部を有し、前記溝部に、長棒金が収納された場合に全てが前記長棒金を検知し、短棒金が収納された場合、一部が前記短棒金を検知し、何も収納されていない場合には全てが前記棒金を検知しないように、少なくとも前記溝部の両端部に配置される複数のセンサ、及び前記溝部の内部の一方の端部に設置され、前記棒金を他方の端部に付勢する弾性部材を有するドロワと、
前記ドロワを収納する格納部と、
前記ドロワの開閉を検知するドロワセンサと、
を備える棒金管理装置。
【請求項２】
前記弾性部材は、
伸長収縮方向の長さは、前記溝部の長手方向の長さから短棒金の高さを差し引いた長さより長い請求項１記載の棒金管理装置。
【請求項３】
前記弾性部材は、
タケノコバネである請求項２記載の棒金管理装置。
【請求項４】
棒金を収納する複数の溝部を有し、前記溝部に、長棒金が収納された場合に全てが前記長棒金を検知し、短棒金が収納された場合、一部が前記短棒金を検知し、何も収納されていない場合には全てが前記棒金を検知しないように配置される複数のセンサ、及び前記溝部の内部の一方の端部に設置され、前記棒金を他方の端部に付勢する弾性部材を有するドロワと、前記ドロワを収納する格納部と、前記ドロワの開閉を検知するドロワセンサと、を備える棒金管理装置と、
前記棒金管理装置に接続し、前記棒金管理装置からの出力に基づいて前記棒金の種類、金種、及び数量を管理する本体装置と、を備え、
前記棒金管理装置は、
全ての前記センサが棒金を検知した場合、当該溝部に収納されている棒金は長棒金であると判定し、全ての前記センサが棒金を検知してはいないが、少なくとも１つのセンサが棒金を検知した場合、当該溝部に収納されている棒金は短棒金であると判定し、前記判定の結果を、前記判定の結果に基づいて棒金の種類、金種、及び数量を管理する前記本体装置に送信する棒金管理システム。
【請求項５】
前記弾性部材は、
伸長収縮方向の長さは、前記溝部の長手方向の長さから短棒金の高さを差し引いた長さより長い請求項４記載の棒金管理システム。
【発明の詳細な説明】
【技術分野】
【０００１】
本発明の実施形態は、棒金管理装置及び棒金管理システムに関する。
【背景技術】
【０００２】
ＰＯＳ（Ｐｏｉｎｔ  Ｏｆ  Ｓａｌｅｓ）端末などの金銭管理装置においては、現在いくらの現金がその端末に格納されているかを把握し、かつその把握した金額と実際に格納されている現金とが正確に合っていることが重要である。
【０００３】
そこで、金銭管理装置は、預かり銭及び釣銭を計算管理する本体部と、紙幣を格納して管理する紙幣管理装置と、硬貨を格納して管理する硬貨管理装置と、硬貨を所定枚数ずつ包装した、いわゆる棒金を格納して管理する棒金管理装置と、を備え、金種ごとの数と合計金額とを計算するように構成されている。
【０００４】
オペレータは特定の硬貨が不足すると棒金管理装置から不足した棒金を取り出し、開封して硬貨管理装置に投入する。
【０００５】
従って、金銭管理装置が格納している現金の金額を把握するためには、棒金についても金種ごとの数量を把握する必要がある。
【０００６】
従来の棒金管理装置は、棒金を収納する溝部の底部に、溝部の長手方向両端部に１つずつのセンサを備える。棒金管理装置はこのセンサの出力に基づいて棒金の有無を判定する。
【０００７】
しかし、近年通常の棒金より少ない枚数が包装され、棒金の長さが通常の棒金より短い短棒金が用いられるようになってきた。
【０００８】
従って、通常の棒金を収納すべき溝部に短棒金が誤って収納された場合には棒金の金種及び数量が正確に判定できない。
【０００９】
この点に関し、短棒金を溝部に収納する場合には仕切壁によって溝部を区画し、通常の棒金が収納できないようにする技術が提案されている。
【００１０】
しかし、この技術によっても、仕切壁の設置のし忘れにより通常の棒金を収納するための溝部に短棒金が誤って収納されることは避けられない。
【先行技術文献】
【特許文献】
【００１１】
【特許文献１】特許第４８３２９１３号公報
【発明の概要】
【発明が解決しようとする課題】
【００１２】
従って、収納される棒金の種類、金種、数量を正確に検知できる棒金管理装置及び棒金管理システムが求められている。
【課題を解決するための手段】
【００１３】
上記の課題を解決するために、本発明の一実施形態は、棒金を収納する複数の溝部を有し、溝部に、長棒金が収納された場合に全てが長棒金を検知し、短棒金が収納された場合、一部が短棒金を検知し、何も収納されていない場合には全てが棒金を検知しないように配置される複数のセンサ、及び溝部の内部の一方の端部に設置され、棒金を他方の端部に付勢する弾性部材を有するドロワと、ドロワを収納する格納部と、ドロワの開閉を検知するドロワセンサと、を備える棒金管理装置を提供する。
【図面の簡単な説明】
【００１４】
【図１】棒金管理装置を備える金銭管理装置の外観斜視図である。
【図２】棒金管理装置の外観斜視図である。
【図３】ドロワを引き出した状態の棒金管理装置の外観斜視図である。
【図４】溝部の正面断面図である。
【図５】溝部の側面断面図である。
【図６】溝部に長棒金が収納された場合を示す側面断面図である。
【図７】溝部に短棒金が収納された場合を示す側面断面図である。
【図８】弾性部材の側面図である。
【図９】弾性部材の平面図である。
【図１０】金銭管理装置の構成を示すブロック図である。
【図１１】金銭管理装置の動作を示すフローチャートである。
【発明を実施するための形態】
【００１５】
以下、棒金管理装置及び棒金管理システムの一実施形態について、図面を用いて詳細に説明する。
【００１６】
本実施形態の棒金管理装置は、棒金を収納する複数の溝部を有し、溝部に、長棒金が収納された場合に全てが長棒金を検知し、短棒金が収納された場合、一部が短棒金を検知し、何も収納されていない場合には全てが棒金を検知しないように配置される複数のセンサ、及び溝部の内部の一方の端部に設置され、棒金を他方の端部に付勢する弾性部材を有するドロワと、ドロワを収納する格納部と、ドロワの開閉を検知するドロワセンサと、を備える。
【００１７】
図１は、本実施形態の棒金管理装置２０を備える金銭管理装置１の外観斜視図である。図１に示すように、ＰＯＳ（Ｐｏｉｎｔ  Ｏｆ  Ｓａｌｅｓ）端末などの金銭管理装置１は、紙幣を格納し、紙幣の金種ごとの数量を計数管理する紙幣管理装置１３と、硬貨を格納し、硬貨の金種ごとの数量を計数管理する硬貨管理装置１２と、センサ４１を備え、金種ごとに所定枚数ずつ包装された硬貨（以下、棒金という。）の金種ごとの数量をこのセンサ４１によって検知する棒金管理装置２０と、ディスプレイ１１Ｄを備え、紙幣管理装置１３、硬貨管理装置１２、及び棒金管理装置２０の出力から格納されている現金の合計金額を算出し、ディスプレイ１１Ｄに表示する本体装置１１と、を備える。
【００１８】
本体装置１１は、金銭管理装置１がＰＯＳ端末の場合は、売上金額と預かり金額とから釣銭を計算する。
【００１９】
また、本体装置１１は、金種ごとの数量を格納する金種テーブル１１Ａを備える。
【００２０】
紙幣管理装置１３は本体装置１１に接続される。紙幣管理装置１３は、紙幣投入孔と紙幣排出孔とを備え、紙幣投入孔から投入された紙幣を金種ごとに格納し、投入された紙幣の金種ごとの数量を本体装置１１に送信する。
【００２１】
硬貨管理装置１２は紙幣管理装置１３に接続される。硬貨管理装置１２は、硬貨投入孔と硬貨排出孔とを備え、硬貨投入孔から投入された硬貨を金種ごとに格納し、投入された硬貨の金種ごとの数量を、紙幣管理装置１３を経由して本体装置１１に送信する。
【００２２】
従って、本体装置１１は紙幣管理装置１３及び硬貨管理装置１２の出力から預かり金額の合計を算出することが可能となる。
【００２３】
本体装置１１は、預かり金額から売上金額を差し引き、釣銭を算出する。本体装置１１は、さらに釣銭として支払う金種ごとの枚数を計算し、硬貨管理装置１２及び紙幣管理装置１３に出金指示する。この出金指示の送信の際、本体装置１１は出金する金種ごとの数量を金種テーブル１１Ａの各数量から差し引く。
【００２４】
図２は、棒金管理装置２０の外観斜視図である。図３は、ドロワ２１を引き出した状態の棒金管理装置２０の外観斜視図である。
【００２５】
図２及び図３に示すように、棒金管理装置２０は棒金を格納するドロワ２１と、ドロワ２１を収納する格納部２０Ａと、を備える。
【００２６】
ドロワ２１は、ドロワ２１の幅方向に棒金を収納する横溝部２３Ａと、ドロワ２１の引き出し方向に棒金を収納する縦溝部２３Ｂと、を備える。以下、横溝部２３Ａ及び縦溝部２３Ｂを併せて溝部２３という。ドロワ２１は溝部２３に弾性部材３０を備える。
【００２７】
図４は、溝部２３の正面断面図である。図５は、溝部２３の側面断面図である。図６は、溝部２３に通常の長さの棒金である長棒金５１を収納した場合の側面断面図である。図７は、溝部２３に長棒金よりも高さ方向の長さが短い棒金である短棒金５２を収納した場合の側面断面図である。
【００２８】
図４乃至図７に示すように、溝部２３は溝内部の底面部にセンサ４１を備える。センサ４１は、例えば磁気センサ又は光センサを用いることができる。
【００２９】
磁気センサは、磁束の変化により金属の種類に応じた電圧を出力する。硬貨は金種ごとに金属の組成が異なる。従って、棒金管理装置２０は磁気センサの出力に基づいて棒金の有無及び金種を判定できる。
【００３０】
光センサは、発光素子と受光素子を備え、受光素子は棒金が反射する発光素子からの光を受光し、光の強度に応じた電圧を出力する。従って、棒金の金種ごとの収納位置を決めておけば、棒金管理装置２０は光センサの出力に基づいて棒金の有無及び金種を判定できる。
【００３１】
溝部２３は、さらに溝内部の一方の端部２５に、収納された棒金を他方の端部に付勢するように弾性部材３０を備える。
【００３２】
溝部２３の長手方向の長さＬ１は、長棒金５１の高さＬ３に弾性部材３０が収縮したときの幅Ｌ４を加えた長さである。
【００３３】
弾性部材３０の伸長収縮方向の長さＬ２は、溝部２３の長手方向の長さＬ１から短棒金の高さＬ５を差し引いた長さより長い。すなわち、溝部２３の長手方向の長さＬ１から弾性部材３０の伸長収縮方向の長さＬ２の長さを差し引いた長さＬ６は、短棒金の高さＬ５より短い。
【００３４】
従って、弾性部材３０は短棒金５２を他方の端部に付勢することが可能である。
【００３５】
センサ４１は少なくとも２つ設けられる。センサ４１は、長棒金５１が溝部２３に収納された場合に全てのセンサ４１がＯＮになり、短棒金５２が溝部２３に収納された場合、一部のセンサ４１がＯＮになり、溝部２３に何も収納されていない場合には全てのセンサ４１がＯＦＦとなるように配置される。
【００３６】
２つのセンサを用いる場合、いずれのセンサも溝部２３の長手方向中央部より端部寄りに、弾性部材３０が収縮した際に弾性部材３０に覆われない位置に設置される。
【００３７】
短棒金５２が溝部２３に収納された場合、弾性部材３０によって短棒金５２は他方の端部に付勢され、押しつけられる。
【００３８】
２つのセンサ４１を溝部２３の両端部に設けた場合、短棒金５２が収納されると必ず一方のセンサ４１のみがＯＮとなる。
【００３９】
従って、溝部２３に短棒金５２が収納されたのか、長棒金５１が収納されたのかは、センサ４１の出力を検知することにより可能となる。
【００４０】
図８は、弾性部材３０の側面図である。図９は、弾性部材３０の平面図である。図８及び図９に示すように、弾性部材３０は、例えばタケノコバネのようなコイルバネを用いることができる。
【００４１】
タケノコバネは、一方の端部から他方の端部に向けて曲率半径が次第に小さくなるように、外側から内側に向けて円錐状に巻いたコイルバネである。
【００４２】
このタケノコバネは収縮した場合に厚みが薄くなるため、長棒金の収納に便宜である。
【００４３】
図１０は、金銭管理装置１の構成を示すブロック図である。図１０に示すように、金銭管理装置１は、本体装置１１と、紙幣管理装置１３と、硬貨管理装置１２と、棒金管理装置２０と、を備える。
【００４４】
本体装置１１は、ＣＰＵ（Central Processing Unit）などの演算装置６７と、メモリ、ハードディスクドライブなどの記憶装置６８と、通信を行う通信インターフェース（以下、インターフェースをＩ／Ｆという。）６６と、を備える。
【００４５】
本体装置１１は、通信Ｉ／Ｆ６６を介して、紙幣管理装置１３及び上位機器であるコントローラ６９と接続される。
【００４６】
棒金管理装置２０は、ＣＰＵなどの制御部６２と、メモリ、ハードディスクドライブなどの記憶装置６３と、通信を行う通信Ｉ／Ｆ６１と、センサ４１と、ドロワ２１の開閉を検知するドロワセンサ６５と、を備える。
【００４７】
ドロワ２１に収納されている棒金４０の検知は、ドロワ２１が開閉される度に行われ、その検知結果は紙幣管理装置１３を介して本体装置１１に送信される。
【００４８】
棒金４０がドロワ２１から出金され、開封されて硬貨管理装置１２に投入された場合、硬貨管理装置１２は硬貨の金種と枚数とを紙幣管理装置１３を介して本体装置１１に送信するとともに、金種テーブル１１Ａを更新する。
【００４９】
本体装置１１は、出金された棒金４０の金種と枚数とが、硬貨管理装置１２に投入された金種及び枚数と合っているかを判定し、合っていると判定できなかった場合にエラー通知を本体装置１１の親機であるコントローラ６９に送信する。
【００５０】
図１１は、金銭管理装置１の動作を示すフローチャートである。図１１においては、センサ４１を２つ用いた例について説明する。
【００５１】
図１１に示すように、ステップ７０１において、棒金管理装置２０はドロワセンサ６５の出力に基づいてドロワ２１が開から閉になったかを判定する。棒金管理装置２０は、ドロワ２１が開から閉になったと判定した場合、ステップ７０２に進み、ドロワ２１が開から閉になったと判定しない場合、ステップ７０１に戻る。
【００５２】
ステップ７０２において、棒金管理装置２０は全てのセンサ４１がＯＦＦとなったかを判定する。棒金管理装置２０は全てのセンサ４１がＯＦＦとなったと判定した場合、ステップ７０４に進み、全てのセンサ４１がＯＦＦとなったと判定しない場合、ステップ７０３に進む。
【００５３】
ステップ７０３において、棒金管理装置２０は１つのセンサ４１のみがＯＦＦとなったかを判定する。棒金管理装置２０は１つのセンサ４１のみがＯＦＦとなったと判定した場合、ステップ７０６に進み、１つのセンサ４１のみがＯＦＦとなったと判定しない場合、ステップ７０５に進む。
【００５４】
ステップ７０４において、棒金管理装置２０は、棒金の種類である棒金種を通常の棒金である長棒金と判定して記憶装置に当該溝部に格納された棒金は長棒金である旨を格納し、ステップ７０９に進む。
【００５５】
ステップ７０５において、棒金管理装置２０は全てのセンサ４１がＯＮとなったかを判定する。棒金管理装置２０は全てのセンサ４１がＯＮとなったと判定した場合、ステップ７０８に進み、全てのセンサ４１がＯＮとなったと判定しない場合、ステップ７０７に進む。
【００５６】
ステップ７０６において、棒金管理装置２０は、棒金種を短棒金と判定して記憶装置に当該溝部に格納された棒金は短棒金である旨を格納し、ステップ７０９に進む。
【００５７】
ステップ７０７において、棒金管理装置２０は、エラーフラグをＯＮにし、ステップ７０９に進む。
【００５８】
ステップ７０８において、棒金管理装置２０は、棒金が溝部から取り出されたことを示すフラグである取出し済フラグをＯＮにし、ステップ７０９に進む。
【００５９】
ステップ７０９において、棒金管理装置２０は、全ての溝部を検知したかを判定する。棒金管理装置２０は、全ての溝部を検知したと判定した場合、ステップ７１０に進み、全ての溝部を検知していないと判定した場合、ステップ７０２に戻って他の溝部を検知する。
【００６０】
ステップ７１０において、棒金管理装置２０は、記憶装置に格納された溝部ごとの格納棒金の種類乃至、取出し済かどうかを棒金収納情報として、本体装置１１に送信する。
【００６１】
本体装置１１は、受信した棒金収納情報に基づいて金種テーブル１１Ａを更新する。
【００６２】
以上述べたように、本実施形態の棒金管理装置２０は、棒金を収納する複数の溝部２３を有し、この溝部２３に、長棒金５１が収納された場合に全てがＯＮになり、短棒金５２が収納された場合、一部がＯＮになり、何も収納されていない場合には全てがＯＦＦとなるように配置される複数のセンサ４１、及び溝部２３の内部の一方の端部に設置され、棒金を他方の端部に付勢する弾性部材３０を有するドロワ２１と、ドロワ２１を収納する格納部２０Ａと、ドロワ２１の開閉を検知するドロワセンサ６５と、を備える。
【００６３】
従って、収納される棒金の種類、金種、数量を正確に検知できるという効果がある。
【００６４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
１１：本体装置
１２：硬貨管理装置
１３：紙幣管理装置
２０：棒金管理装置
３０：弾性部材
２１：ドロワ
４１：センサ
【図１】
2014052776.tif 000003
【図２】
2014052776.tif 000004
【図３】
2014052776.tif 000005
【図４】
2014052776.tif 000006
【図５】
2014052776.tif 000007
【図６】
2014052776.tif 000008
【図７】
2014052776.tif 000009
【図８】
2014052776.tif 000010
【図９】
2014052776.tif 000011
【図１０】
2014052776.tif 000012
【図１１】
2014052776.tif 000013